(57)【特許請求の範囲】
【請求項１】
中央に溝を形成するように上面両側にリップを有し該リップの溝に面する端部に端板が形成されるとともにリップの下面にガイドが形成され、前記リップ上に互いに隣り合う太陽電池モジュールのフレームの端部が載置される中空状の架台と、該架台のリップに形成された端板間に係合されて互いに隣り合う前記フレームを固定するモジュール固定金具と、該モジュール固定金具に対して挿入され前記リップ間の溝内に配置される締め付けボルトと、該締め付けボルトの下端に螺着され、その上面が前記リップの端板の下端に当接して前記両側のリップ下面のガイド間に固定される止め具とを具備したことを特徴とする太陽電池モジュールの固定装置。
【請求項２】
前記止め具に前記リップの端板の下端に嵌合する凹部が形成されていることを特徴とする請求項１記載の太陽電池モジュールの固定装置。
【発明の詳細な説明】
【０００１】
【発明の属する技術分野】
本発明は互いに隣り合う太陽電池モジュールどうしを固定するための固定装置に関する。
【０００２】
【従来の技術】
従来、互いに隣り合う太陽電池モジュールどうしを固定して屋根の上に取り付けるための固定装置として、例えば特開平７−１５３９８３号公報に記載されているものが知られている。このような固定装置を図４に示す断面図を参照して概略的に説明する。
【０００３】
図４において、太陽電池モジュール１は太陽電池パネル２をフレーム３に取り付けることにより構成されている。このフレーム３の側面には係合部３ａが形成されている。一方、屋根の上にレール状のリップ溝型鋼からなる中空状の架台１１が取り付けられる。この架台１１の上面両側のリップ１１ａ上にそれぞれクッション材１２を介して２つの太陽電池モジュール１のフレーム３の端部が載置される。互いに隣り合う２つの太陽電池モジュール１は各々のフレーム３の側面に形成された係合部３ａに係合されるモジュール固定金具１３により固定される。モジュール固定金具１３には上方から締め付けボルト１４が挿入され、架台１１上面両側のリップ１１ａの間に形成される溝の内側に配置される。この締め付けボルト１４の下端に止め具１５が螺着される。
【０００４】
上述した従来の固定装置を用いて互いに隣り合う２つの太陽電池モジュールを固定する場合、止め具１５の長手方向をリップ１１ａ間の溝に平行になるように配置して上方から挿入された締め付けボルト１４の下端に止め具１５を仮止めした状態で締め付けボルト１４を回して締め付けて固定する。
【０００５】
【発明が解決しようとする課題】
しかし、上述した従来の固定装置では、止め具１５の長さが架台１１の横幅よりも長く、止め具１５の重量も重いため、上記のような取り付け作業の作業性が悪いという欠点がある。
【０００６】
本発明の目的は、隣り合う２つの太陽電池モジュールを固定する際の作業性を改善できる固定装置を提供することにある。
【０００８】
【課題を解決するための手段】
本発明の太陽電池モジュールの固定装置は、中央に溝を形成するように上面両側にリップを有し該リップの溝に面する端部に端板が形成されるとともにリップの下面にガイドが形成され、前記リップ上に互いに隣り合う太陽電池モジュールのフレームの端部が載置される中空状の架台と、該架台のリップに形成された端板間に係合されて互いに隣り合う前記フレーム間の間隔を規定するモジュール固定金具と、該モジュール固定金具に対して挿入され前記リップ間の溝内に配置される締め付けボルトと、該締め付けボルトの下端に螺着され、その上面が前記リップの端板の下端に当接して前記両側のリップ下面のガイド間に固定される止め具とを具備したことを特徴とする。
【０００９】
本発明の固定装置においては、前記止め具に前記リップの端板の下端に嵌合する凹部が形成されていることが好ましい。
【００１０】
なお、本発明でいう太陽電池モジュールとは、薄膜系および結晶系のいずれの太陽電池モジュールをも含むものとする。
【００１１】
【発明の実施の形態】
以下、本発明の実施形態を図面を参照して説明する。
【００１２】
図１に本発明に係る太陽電池モジュールの固定装置の一例の断面図を示す。図１において、太陽電池モジュール１は太陽電池パネル２をフレーム３に取り付けることにより構成されている。このフレーム３の側面には係合部３ａが形成されている。一方、屋根の上にレール状のリップ溝型鋼からなる中空状の架台１１が取り付けられる。この架台１１上面の両側にリップ１１ａが形成されており、これらのリップ１１ａの中央に溝が形成される。また、これらのリップ１１ａの下面には下方に突出したガイド１１ｂが形成されている。この架台１１の上面両側のリップ１１ａ上にそれぞれクッション材１２を介して２つの太陽電池モジュール１のフレーム３の端部が載置される。互いに隣り合う２つの太陽電池モジュール１は各々のフレーム３の側面に形成された係合部３ａに係合されるモジュール固定金具１３により固定される。モジュール固定金具１３には上方から締め付けボルト１４が挿入され、架台１１上面両側のリップ１１ａの間に形成される溝の内側に配置される。この締め付けボルト１４の下端に止め具２１が螺着される。この止め具２１は面取りされた２つの隅部が架台１１のリップ１１ａ下面に形成されたガイド１１ｂの内側側面に当接し、斜めに固定された状態で締め付けられる。
【００１３】
本発明の固定装置を用いて互いに隣り合う２つの太陽電池モジュールを固定する場合、止め具２１の長手方向をリップ１１ａ間の溝に平行になるように配置して上方から挿入された締め付けボルト１４の下端に止め具２１を仮止めした状態で締め付けボルト１４を回して締め付けて固定する。
【００１４】
なお、モジュール固定金具１３に溝を設け、側方から締め付けボルト１４およびその下端にゆるく螺着された止め具２１を挿入し、締め付けボルト１４を回して締め付けて固定するようにしてもよい。
【００１５】
この際、本発明の固定装置の構成部材である止め具２１は、従来の固定装置の止め具１５よりも長さが短く重量も軽いため、取り付け作業の作業性を従来よりも大幅に改善できる。
【００１６】
次に、図２に本発明に係る太陽電池モジュールの固定装置の他の実施形態の断面図を示す。図２において、太陽電池モジュール１は太陽電池パネル２をガスケット４を介してフレーム３に取り付けることにより構成されている。このフレーム３の側面には係合部３ａが形成されている。一方、屋根の上にレール状のリップ溝型鋼からなる中空状の架台１１が取り付けられる。この架台１１上面の両側にリップ１１ａが形成されており、これらのリップ１１ａの中央に溝が形成される。これらのリップ１１ａの溝に面する端部にはそれぞれ端板１１ｃが形成されている。また、これらのリップ１１ａの下面には下方に突出したガイド１１ｂが形成されている。この架台１１の上面両側のリップ１１ａ上にそれぞれ２つの太陽電池モジュール１のフレーム３の端部が載置される。互いに隣り合う２つの太陽電池モジュール１はインナー部１３ａで架台１１の端板１１ｃの内側に係合されるとともに各々のフレーム３の側面に形成された係合部３ａに係合されるモジュール固定金具１３により固定される。モジュール固定金具１３には上方から締め付けボルト１４が挿入され、架台１１上面両側のリップ１１ａの間に形成される溝の内側に配置される。この締め付けボルト１４の下端に止め具２２が螺着される。図２には図示しないが図１と同様に、この止め具２２は架台１１のリップ１１ａ下面に形成されたガイド１１ｂの内側側面に当接して斜めに固定され、かつその上面に設けられた凹部２２ａがリップ１１の端板１１ｃ下面に嵌合した状態で締め付けられる。さらに、上述したモジュール固定金具１３の上面には溝カバー係合部１３ｂが形成されており、この溝カバー係合部１３ｂに溝カバー２３が係合される。
【００１７】
図２の固定装置を用いて互いに隣り合う２つの太陽電池モジュールを固定する場合にも、止め具２２が従来の固定装置の止め具１５よりも長さが短く重量も軽いため、取り付け作業の作業性を従来よりも大幅に改善できる。しかも、リップ１１に端板１１ｃを設けているためリップ１１が補強されるうえに、モジュール固定金具１３のインナー部１３ａとリップ１１の端板１１ｃとを係合させることによりモジュール固定金具１３の取り付け作業が容易になるとともにモジュール固定金具１３のずれも防止できる。さらに、図２に示したように止め具２２の上面に凹部２２ａを設け、この凹部２２ａをリップ１１の端板１１ｃ下面に嵌合させると、締め付けボルト１４による止め具２２の架台１１への固定が確実になり、両者のゆるみも確実に防止できる。
【００１８】
なお、図１および図２においては架台１１の下面に部分的に突出させるようにガイド１１ｂを設けたが、ガイド１１ｂの形状は特に限定されず、例えば図３（Ａ）および（Ｂ）に示すような形状としてもよい。図３（Ａ）の架台１１では、ガイド１１ｂはリップ１１ａの下面と架台１１の内側底面とを連結するように設けられている。一方、図３（Ｂ）の架台１１では、ガイド１１ｂはリップ１１ａの下面と架台１１の内側側面とを連結するようにカギ型に設けられている。ガイド１１ｂを図３（Ａ）および（Ｂ）に示す形状に形成した場合、ガイド１１ｂの強度を補強できる。
【００１９】
【発明の効果】
以上詳述したように本発明によれば、隣り合う２つの太陽電池モジュールを固定する際の作業性を改善した固定装置を提供できる。
【図面の簡単な説明】
【図１】本発明に係る太陽電池モジュールの固定装置の断面図および下面図。
【図２】本発明に係る他の太陽電池モジュールの固定装置の断面図。
【図３】本発明に用いられる架台の他の例を示す断面図。
【図４】従来の太陽電池モジュールの固定装置の断面図および下面図。
【符号の説明】
１…太陽電池モジュール
２…太陽電池パネル
３…フレーム、３ａ…係合部、
４…ガスケット
１１…架台、１１ａ…リップ、１１ｂ…ガイド
１２…クッション材
１３…モジュール固定金具、１３ａ…インナー部、１３ｂ…溝カバー係合部
１４…締め付けボルト
２１…止め具
２２…止め具、２２ａ…凹部
２３…溝カバー
【図１】
0003942300.tif 000002
【図２】
0003942300.tif 000003
【図３】
0003942300.tif 000004
【図４】
0003942300.tif 000005